(57)【要約】【課題】ろ布洗浄装置に供給する洗浄水を長大な可撓管を用いずに供給可能で、部品点数を削減したフィルタープレスのろ布洗浄装置を提供する。【解決手段】フレーム２、２間に支架したガイドレール３に多数のろ板４・・・を開閉自在に並列し、ガイドレール３に沿って設けた加振シャフト６にろ布８を吊設したサポートバー７を橋架し、加振シャフト６の振動によりろ布８に付着した脱水ケーキを剥離するフィルタープレス１の洗浄装置において、加振シャフト６に設けた洗浄液の供給路１７と、供給路１７から洗浄液をろ布８に向かって噴射する加振シャフト６に設けた洗浄ノズル１６と、を備えることで、洗浄水の洗浄管が不要となり、脱水機の部品点数、消耗品の削減ができ、コンパクトなフィルタープレスとなる。【選択図】図２
2018069105.tif 000002
【特許請求の範囲】
【請求項１】
フレーム（２、２）間に支架したガイドレール（３）に多数のろ板（４・・・）を開閉自在に並列し、ガイドレール（３）に沿って設けた加振シャフト（６）にろ布（８）を吊設したサポートバー（７）を橋架し、加振シャフト（６）の振動によりろ布（８）に付着した脱水ケーキを剥離するフィルタープレス（１）のろ布洗浄装置において、
加振シャフト（６）に設けた洗浄液の供給路（１７）と、
供給路（１７）から洗浄液をろ布（８）に向かって噴射する加振シャフト（６）に設けた洗浄ノズル（１６）と、
を備えることを特徴としたフィルタープレスのろ布洗浄装置。
【請求項２】
前記供給路（１７）は、中空の加振シャフト（６）内に備える
ことを特徴とした請求項１に記載のフィルタープレスのろ布洗浄装置。
【請求項３】
前記洗浄ノズル（１６）は、開板したろ板（４）の間毎に配設し、加振シャフト（６）の上部に備える
ことを特徴とした請求項１又は２に記載のフィルタープレスのろ布洗浄装置。
【発明の詳細な説明】
【技術分野】
【０００１】
本発明は、フィルタープレスのろ布洗浄に関し、洗浄液を供給する洗浄ホースを不要としたフィルタープレスのろ布洗浄装置を提供するものである。
【背景技術】
【０００２】
従来、ろ板の前後にろ布が張設されているフィルタープレスのろ布洗浄装置は、洗浄管がろ板の上部にろ板と一体的に設けられており、ろ板の側方に並列した主供給管と洗浄管を可橈管で連結することで洗浄管に洗浄水を供給する技術が特許文献１に記載されている。ろ板の開閉と共に洗浄管が移動するため、可橈性をもつ可橈管で、主供給管と洗浄管を連結している。
【先行技術文献】
【特許文献】
【０００３】
【特許文献１】特開平１０−９９６０７号公報
【発明の概要】
【発明が解決しようとする課題】
【０００４】
特許文献１の洗浄装置では、可橈管はろ板の移動分の長さを必要とするため、大型のフィルタープレスの場合は長大な可撓管となる。従って、可橈管を用いることで、脱水機上部のメンテナンススペースが狭くなることや、可橈管を用いたことによる部品点数の増加が問題となっている。
【０００５】
また、大型のフィルタープレスはフレームの中間を支持するスタンドが必要で、ろ板の開閉時には可撓管がスタンドに干渉するため、フィルタープレス両端に開閉装置を設け、中央に向ってろ板を移動させていた。
【課題を解決するための手段】
【０００６】
フレーム間に支架したガイドレールに多数のろ板を開閉自在に並列し、ガイドレールに沿って設けた加振シャフトにろ布を吊設したサポートバーを橋架し、加振シャフトの振動によりろ布に付着した脱水ケーキを剥離するフィルタープレスのろ布洗浄装置において、加振シャフトに設けた洗浄液の供給路と、供給路から洗浄液をろ布に向かって噴射する加振シャフトに設けた洗浄ノズルと、を備えることで、洗浄管を備える必要が無く、脱水機の部品点数消耗品の削減ができる。
【０００７】
前記供給路は、中空の加振シャフト内に備えることで、コンパクトなフィルタープレスとなり、メンテナンススペースも確保することができる。
【０００８】
前記洗浄ノズルは、開板したろ板の間毎に配設し、加振シャフトの上部に備えることで、すべてのろ布を同時に洗浄可能で、供給路に残留した洗浄液が洗浄ノズルから漏れ出すことがない。
【発明の効果】
【０００９】
加振シャフトが加振装置と洗浄装置の機能を有するため、従来必要としていた洗浄水を供給する主供給管と、主供給管からろ板に設けた洗浄管を連結する可橈管を設ける必要がなくなった。従って、脱水機の部品点数、消耗品の削減ができ、コンパクトなフィルタープレスでメンテナンススペースも確保することができる。
【００１０】
また、大型のフィルタープレスでは、中間を支持するスタンドに干渉していた可撓管が不要となるため、フィルタープレスの両端に開閉装置を設ける必要がなく、一方に開閉装置を設けることでろ板の開閉を行うことができる。
【図面の簡単な説明】
【００１１】
【図１】本発明に係るろ布洗浄装置を用いるフィルタープレスの側面図である。
【図２】本発明に係るろ板組品及びろ布洗浄装置の要部正面図である。
【図３】本発明に係るろ布の正面図である。
【図４】本発明に係るろ布を吊設するろ板の要部側面図である。
【発明を実施するための形態】
【００１２】
図１は、本発明に係るろ布洗浄装置を用いるフィルタープレスの側面図である。
本発明のフィルタープレス１は、左右に配置したフレーム２、２と、フレーム２、２間に支架された一対のガイドレール３、３と、ガイドレール３上で移動自在に複数並列したろ板４・・・と、ろ板４の開閉を行う開閉装置５と、を有する。
【００１３】
ガイドレール３に沿って、ろ板４の上方に一対の加振シャフト６を配設する。ろ板４上部にはサポートバー７を揺動自在に配設し、加振シャフト６に橋架してある。サポートバー７にろ布８を吊設することで、ろ板４、４間にろ布８を配置する。加振シャフト６のバイブレーター９が作動すると、加振シャフト６に橋架したサポートバー７が振動し、サポートバー７に吊設したろ布８が揺動し、ろ布８を上下に跳ね上げる。
【００１４】
図２は、本発明に係るろ板組品及びろ布洗浄装置の要部正面図である。
ろ板４の両側肩部にガイドレール３に支架させるろ板アーム１０を配設し、ろ板４はガイドレール３上を移動自在に並列してある。ろ板４の上方中央部には原液供給路１１を形成してある。
ろ板４の中央部には凹面状のろ過床１２を形成しており、ろ過床１２にはろ布８を張設し、ろ板４、４間に張設したろ布８の間に原液を供給して脱水する。
【００１５】
ろ板４の両肩部にはサポートバー７を支持するガイドシャフト１３を立設する。ガイドシャフト１３にはスプリング１４を外挿し、サポートバー７をスプリング１４に弾圧的に揺動自在に支持する。サポートバー７の両側面には、ろ布８を吊設するための複数の掛金１５を設けてある。
【００１６】
ろ板４上方のサポートバー７は、ガイドレール３の上方に設けた一対の加振シャフト６に橋架してある。加振シャフト６のバイブレーター９が作動することで、サポートバー７に吊設したろ布８を振動させ、ろ布８に付着した脱水ケーキを剥離する。バイブレーター９の振動により加振シャフト６が上下に振動し、加振シャフト６に橋架したサポートバー７は、ガイドシャフト１３に挿通したスプリング１４により跳上がる。
【００１７】
加振シャフト６の側面上部には洗浄ノズル１６を配置する。また、ろ板４方向に向って洗浄ノズル１６を配置することで、ろ板４に張設したろ布８を洗浄する。
加振シャフト６は内部を中空として、内部に洗浄液の供給路１７を形成する。よって、供給路１７に供給した洗浄液は洗浄ノズル１６よりろ板４に張設したろ布８に向かって噴射される。加振シャフト６の上部に洗浄ノズル１６を設けることで、洗浄終了後に加振シャフト６に残留した洗浄液が洗浄ノズル１６から漏れ出すことはない。
加振シャフト６は矩形、円形等の断面形状のものを用いることができる。加振シャフト６内外に管を設けて供給路１７としてもよい。
また、洗浄ノズル１６は開板したろ板４、４の間に配置し、ろ板４間毎に配置することで全てのろ布８を同時に洗浄可能とする。
【００１８】
また、図１に示すように、加振シャフト６の一端を洗浄水貯留槽１８と連結し、洗浄水供給ポンプ１９で加振シャフト６に洗浄水を供給する。
【００１９】
図３は、本発明に係るろ布の正面図である。長方形状のろ布８の上縁部に袋部２０を形成する。袋部２０にはろ布支持バー２１を挿入し、ろ布支持バー２１をサポートバー７の掛金１５に係止する。袋部２０は、掛金１５と係止させる位置に複数の切欠穴２２を開口する。ろ布８の上部中央にろ板４の原液供給路１１に当接させる原液供給用の通孔２３を設けてある。
【００２０】
図４は、本発明に係るろ布を吊設するろ板の要部側面図である。図３に示すろ布８の上部の袋部２０に挿通したろ布支持バー２１を切欠き穴から露出させ、図２に示すろ板４の上部に配設したサポートバー７の掛金１５に、切欠穴２２から露出したろ布支持バー２１を係止してろ布８を吊設する。ろ布８はろ板４前後に設けられたろ過床１２の前面に吊設する。サポートバー７の両面上部に立設した掛金１５の上端部を折り曲げて、ガイドシャフト１３に外挿したスプリング１４の圧縮エネルギーの反発力でろ布８の上縁部のろ布支持バー２１がサポートバー７から放出すのを防止する。
【００２１】
図４に示すように、ろ板４、４間に吊設する一対のろ布８の一方に原液供給板２４が止着してあり、ろ板４に形成した原液供給路１１とろ布８の上方中央部の通孔２３に原液供給板２４の原液通路２５を合着させ、原液供給板２４の原液通路２５から分岐してろ布８のろ過面に原液を供給する給液路２６を設けてある。
【００２２】
上記フィルタープレス１の運転方法を詳述する。
初めにろ板の開閉装置５を作動させ、ガイドレール３に複数並列したろ板４を一方へ移動し閉板する。閉板したろ板４両面のろ過床１２にはろ布８が張設され、ろ板４、４間に張設したろ布８の間にろ過室を形成する。ろ過室には原液供給路１１を通して原液が供給され、脱水を行う。ろ布８を透過したろ液はろ過床１２に設けられた図示しない排出口より外部に排出される。
【００２３】
脱水終了後、ろ板開閉装置によりろ板４を開板して脱水ケーキを排出する。加振シャフト６に設けたバイブレーター９を起動させ、加振シャフト６に橋架したサポートバー７を揺動する。サポートバー７に吊設したろ布８はサポートバー７とともに跳ね上がり、ろ布８に付着した脱水ケーキが剥離される。
【００２４】
脱水ケーキを剥離した後、洗浄水貯留槽１８より加振シャフト６内に設けた供給路１７に洗浄水を供給する。洗浄水は供給路１７から加振シャフト６に設けた洗浄ノズル１６よりろ布８に向かって噴射され、ろ布８を洗浄する。
ろ布８の洗浄終了後、再びろ板を閉板し脱水を行う。
【産業上の利用可能性】
【００２５】
この発明に係るフィルタープレスのろ布洗浄装置は、加振シャフトを洗浄水の供給路として利用することで洗浄水の供給管を別途設ける必要が無く、脱水機の部品点数を削減でき、コンパクトなフィルタープレスとなるため、上水・工水スラッジの脱水だけでなく、化学プラントなどの生産プロセスにも使用できる。
【符号の説明】
【００２６】
１  フィルタープレス
２  フレーム
３  ガイドレール
４  ろ板
６  加振シャフト
７  サポートバー
８  ろ布
１６  洗浄ノズル
１７  供給路
【図１】
2018069105.tif 000003
【図２】
2018069105.tif 000004
【図３】
2018069105.tif 000005
【図４】
2018069105.tif 000006